(57)【要約】【課題】ユーザの操作を必要とすることなく、ユーザや環境に適した照明光を照射することができる照明装置等を提供する。【解決手段】照明装置１０は、照明光を照射する光源を有する照明部１１と、照明部１１を制御する照明制御部１２と、照明部１１の照明光を制御するためにユーザ情報及び環境情報の少なくとも一方に基づいて生成された制御コマンド信号を制御機器２０から受信する受信部１３とを備え、受信部１３が受信する制御コマンド信号は、照明部１１の照明光の明るさ、照明部１１の照明光の色温度及び照明部１１の照明光の制御時間のうちの少なくとも１つを要素として含む１つ又は複数のパラメータからなる。【選択図】図２
2018147606.tif 000002
【特許請求の範囲】
【請求項１】
照明光を照射する光源を有する照明部と、
前記照明部を制御する照明制御部と、
前記照明光を制御するためにユーザ情報及び環境情報の少なくとも一方に基づいて生成された制御コマンド信号を他機器から受信する受信部とを備え、
前記制御コマンド信号は、前記照明光の明るさ、前記照明光の色温度及び前記照明光の制御時間のうちの少なくとも１つを要素として含む１つ又は複数のパラメータからなる、
照明装置。
【請求項２】
前記受信部は、センサ情報としてセンサにより取得された前記ユーザ情報及び前記環境情報の少なくとも一方に基づいて前記他機器が生成した前記制御コマンド信号を受信する、
請求項１に記載の照明装置。
【請求項３】
前記他機器は、前記センサを有する前段機器から送信される前記センサ情報を受信する、
請求項２に記載の照明装置。
【請求項４】
前記受信部は、クラウドサーバに蓄積された前記ユーザ情報及び前記環境情報に基づいて前記他機器が生成した前記制御コマンドを受信する、
請求項１に記載の照明装置。
【請求項５】
前記ユーザ情報は、ユーザの活動量である、
請求項１〜４のいずれか１項に記載の照明装置。
【請求項６】
複数の前記パラメータは、前記照明光の明るさを示す第１パラメータ、前記照明光の色温度を示す第２パラメータ、及び、前記照明光の制御時間を示す第３パラメータである、
請求項１〜５のいずれか１項に記載の照明装置。
【請求項７】
前記第１パラメータ、前記第２パラメータ及び前記第３パラメータは、一度の前記制御コマンド信号に含まれる、
請求項６に記載の照明装置。
【請求項８】
１つの前記パラメータに、前記照明光の明るさ、前記照明光の色温度及び前記照明光の制御時間の要素が全て含まれている、
請求項１〜５のいずれか１項に記載の照明装置。
【請求項９】
前記照明制御部は、前記照明部から照射している前記照明光の明るさ又は前記色温度の現在の第１設定値を前記制御コマンド信号における前記明るさ又は前記色温度の目標の第２設定値に変更する際、前記照明光の明るさ又は前記色温度の値を変化させながら前記第１設定値から前記第２設定値に変更する、
請求項１〜８のいずれか１項に記載の照明装置。
【請求項１０】
前記第１設定値から前記第２設定値に前記照明光を変化させる制御パターンは複数であり、
前記照明制御部は、前記制御コマンド信号に応じて複数の前記制御パターンから１つを選択し、選択した前記制御パターンにより前記第１設定値から前記第２設定値に変更する、
請求項９に記載の照明装置。
【請求項１１】
前記複数の制御パターンの少なくとも一つは、前記照明光の明るさを強めるモードと前記照明光の明るさを弱めるモードとを繰り返すゆらぎ制御を行うためのパターンである、
請求項１０に記載の照明装置。
【請求項１２】
前記複数の制御パターンの少なくとも一つは、前記照明光の明るさを漸次増加させる光目覚まし制御を行うためのパターンである、
請求項１０に記載の照明装置。
【請求項１３】
前記光目覚まし制御において、前記照明光の明るさを急変させるためのブースト制御を行い、
前記ブースト制御は、前記照明光の明るさ及び前記照明光の色温度の少なくとも一方を変化させる調光調色制御により行う、
請求項１２に記載の照明装置。
【請求項１４】
前記複数の制御パターンの少なくとも一つは、前記照明光の明るさを変化させることでユーザに所定の制御対象機器の動作が開始することを通知する光アラート制御を行うためのパターンである、
請求項１０に記載の照明装置。
【請求項１５】
前記照明装置は、前記光源を消灯させる消灯モード、前記照明光の明るさ及び前記照明光の色温度の少なくとも一方を変化させる調光調色モード、前記照明光の明るさを漸次増加させる光目覚ましモード、前記照明光の明るさを変化させることでユーザに所定の制御対象機器の動作が開始することを通知する光アラートモード、及び、前記照明光の明るさを強める状態と前記照明光の明るさを弱める状態とを繰り返すゆらぎモードを有し、
前記光目覚ましモード、前記光アラートモード及び前記ゆらぎモードは、前記調光調色モード又は前記消灯モードに遷移する
請求項１〜１４のいずれか１項に記載の照明装置。
【請求項１６】
前記受信部が前記他機器から前記制御コマンド信号を受信したときに、
前記照明制御部は、光アラート制御として、前記照明装置とは異なる制御対象機器の動作開始時よりも先に前記照明部の制御を行うことで前記照明光の明るさを変化させる、
請求項１〜１５のいずれか１項に記載の照明装置。
【請求項１７】
前記制御対象機器は、前記他機器である、
請求項１６に記載の照明装置。
【請求項１８】
前記照明制御部は、前記光アラート制御として、前記照明光の明るさが明るくなる第１モードと、前記第１モードよりも前記照明光の明るさが暗くなる第２モードとを順に経て、前記制御コマンド信号を受信する前の状態に戻るように前記照明部の制御を行う、
請求項１６又は１７に記載の照明装置。
【請求項１９】
前記照明制御部は、前記第１モードと前記第２モードとが複数回繰り返すように前記照明部の制御を行う、
請求項１８に記載の照明装置。
【請求項２０】
前記照明部は、前記光源として、互いに色温度が異なる複数の光源を有し、
前記照明制御部は、前記第１モードのときの前記照明光の色温度が前記第２モードのときの前記照明光の色温度よりも高くなるように前記照明部の制御を行う、
請求項１８又は１９に記載の照明装置。
【請求項２１】
前記照明制御部は、前記照明光の色温度が連続的に変化するように前記照明部の制御を行う、
請求項２０に記載の照明装置。
【請求項２２】
さらに、明るさセンサを有し、
前記照明制御部は、前記光アラート制御として、前記明るさセンサが検知する明るさに応じて前記照明光の明るさが変わるように前記照明部の制御を行う、
請求項１６〜２１のいずれか１項に記載の照明装置。
【請求項２３】
さらに、送信部を有し、
前記送信部は、前記他機器の動作の停止と前記他機器の動作の開始とを制御する機器制御信号を前記他機器に出力する、
請求項１６〜２２のいずれか１項に記載の照明装置。
【請求項２４】
さらに、送信部を有し、
前記送信部は、前記他機器の動作を一定期間停止させる機器制御信号を前記他機器に送信する、
請求項１６〜２２のいずれか１項に記載の照明装置。
【請求項２５】
請求項１〜２４のいずれか１項に記載の照明装置を備える照明器具。
【請求項２６】
請求項１〜２４のいずれか１項に記載の照明装置を備える電子機器。
【発明の詳細な説明】
【技術分野】
【０００１】
本発明は、照明装置、照明装置を備える照明器具、及び、照明装置を備える電子機器に関する。
【背景技術】
【０００２】
近年、ユーザが日々の生活を通じて必要とする生活の質（ＱＯＬ：ｑｕａｌｉｔｙ  ｏｆ  ｌｉｆｅ）を改善することを目的とした製品又はシステムが検討されている。
【０００３】
例えば、約１日を周期とするサーカディアンリズム等の生体リズムにあわせてユーザに照明光を照射することによってＱＯＬの向上を図ることができる照明器具が提案されている（特許文献１）。
【先行技術文献】
【特許文献】
【０００４】
【特許文献１】特開２００３−２７５３１５号公報
【発明の概要】
【発明が解決しようとする課題】
【０００５】
しかしながら、従来の照明器具では、ユーザが照明器具を操作しなければ、照明光を変えることができない。また、ユーザは、ユーザ自身に適した照明光や環境に適した照明光が分からず、ユーザ自身や環境に適した照明光に簡単に変更することができない。
【０００６】
本発明は、このような課題を解決するためになされたものであり、ユーザの操作を必要とすることなく、ユーザや環境に適した照明光を照射することができる照明装置等を提供することを目的とする。
【課題を解決するための手段】
【０００７】
上記目的を達成するために、本発明に係る照明装置の一態様は、照明光を照射する光源を有する照明部と、前記照明部を制御する照明制御部と、前記照明光を制御するためにユーザ情報及び環境情報の少なくとも一方に基づいて生成された制御コマンド信号を他機器から受信する受信部とを備え、前記制御コマンド信号は、前記照明光の明るさ、前記照明光の色温度及び前記照明光の制御時間のうちの少なくとも１つを要素として含む１つ又は複数のパラメータからなる。
【０００８】
また、本発明に係る照明器具の一態様は、上記の照明装置を備える。
【０００９】
また、本発明に係る電子機器の一態様は、上記の照明装置を備える。
【発明の効果】
【００１０】
本発明によれば、ユーザが照明装置を操作することなく、ユーザや環境に適した照明光を照射することができる。
【図面の簡単な説明】
【００１１】
【図１】実施の形態１に係る照明システムの構成を示す図である。
【図２】実施の形態１に係る照明システムの構成を示すブロック図である。
【図３】実施の形態１に係る照明システムで用いられる制御コマンド信号の一例を示す図である。
【図４】実施の形態１に係る照明器具の状態遷移を示す図である。
【図５】実施の形態１に係る照明器具の調光モードでの照明光の制御パターンの一例を示す図である。
【図６】実施の形態１に係る照明器具の調光モードでの照明光の制御パターンの他の一例を示す図である。
【図７】実施の形態１に係る照明器具の光目覚ましモードでの照明光の制御パターンの他の一例を示す図である。
【図８】実施の形態１に係る照明器具のゆらぎモードでの照明光の制御パターンの他の一例を示す図である。
【図９】実施の形態１に係る照明システムの使用例を示す図である。
【図１０】実施の形態２に係る照明システムの構成を示すブロック図である。
【図１１】実施の形態２に係る照明装置及び制御機器における制御の第１例を示す図である。
【図１２】実施の形態２に係る照明装置及び制御機器における制御の第２例を示す図である。
【図１３】実施の形態２に係る照明装置及び制御機器における制御の第３例を示す図である。
【図１４】実施の形態２の変形例１に係る照明システムの構成を示すブロック図である。
【図１５】実施の形態２の変形例１に係る照明装置及び制御機器における制御例を示す図である。
【図１６】実施の形態２の変形例２に係る照明システムの構成を示すブロック図である。
【図１７】実施の形態２の変形例２に係る照明装置及び制御機器における制御例を示す図である。
【図１８】実施の形態２の変形例３に係る照明システムの構成を示すブロック図である。
【図１９】実施の形態２の変形例４に係る照明システムの構成を示すブロック図である。
【図２０】変形例に係る照明システムの構成を示す図である。
【発明を実施するための形態】
【００１２】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。なお、各図において、実質的に同一の構成に対しては同一の符号を付しており、重複する説明は省略又は簡略化する。
【００１４】
（実施の形態１）
［照明システム］
まず、実施の形態１に係る照明システム１の一例について、図１及び図２を用いて説明する。図１は、実施の形態１に係る照明システム１の構成を示す図である。図２は、実施の形態１に係る照明システム１の構成を示すブロック図である。
【００１５】
図１に示すように、照明システム１は、照明器具１００と制御機器２０とによって構成されている。照明システム１は、例えば住宅の寝室で使用される。この場合、照明器具１００及び制御機器２０が寝室に設置される。具体的には、ユーザがベッドに寝ているときでも照明器具１００から照明光がユーザに照射されるように、照明器具１００はベッドの傍に設置される。なお、照明システム１は、住宅の寝室に使用される場合に限らない。
【００１６】
照明器具１００は、照明光を照射する照明装置１０を備えており、照明装置１０が駆動することで所望の照明光を照射することができる。照明器具１００は、例えば、全方位に照明光が照射されるように球状のボール照明であるが、照明器具１００はボール照明に限らない。
【００１７】
制御機器２０は、照明器具１００を制御する装置である。具体的には、制御機器２０は、照明器具１００の照明光を制御する。
【００１８】
以下、照明装置及び制御機器２０について、具体的に説明する。
【００１９】
［照明装置］
図２に示すように、照明器具１００に内蔵される照明装置１０は、照明光を照射する点灯装置であり、照明部１１と、照明制御部１２と、受信部１３と、入力電源１４と、記憶部１５とを備える。
【００２０】
照明部１１は、照明光を照射する光源を有する。照明部１１（光源）は、所定の照明条件の照明光を照射する。所定の照明条件とは、明るさ（照度）、色温度、光色及び平均演色評価数（Ｒａ）等の発光スペクトルに関する条件、又は、発光開始時刻、発光終了時刻及び発光継続時間等の時間に関する条件等である。本実施の形態において、照明部１１は、照明光として白色光を照射する。なお、照明部１１の光源は、例えば、ＬＥＤによって構成されたＬＥＤモジュールである。ＬＥＤは、照明制御部１２から供給される直流電力によって発光する。なお、照明部１１の光源は、ＬＥＤに限らない。
【００２１】
照明部１１の照明光の照明条件は、照明制御部１２によって制御される。つまり、照明部１１が照明制御部１２によって制御されることで、照明部１１が照射する照明光の明るさ又は色温度や光色等が変化する。したがって、照明部１１は、光源として、互いに色温度が異なる複数の光源を有しており、照明部１１は、照明光の明るさ（光出力）を変更することができる調光機能、及び、照明光の色温度や光色を変更することができる調色機能を有する。
【００２２】
なお、照明部１１が照射する照明光の照明条件は、発光スペクトル及び時間に関するものに限らず、配光角等であってもよい。この場合、照明部１１は、調光機能及び調色機能以外に、照明部１１に配置されたレンズを自動調整する等により配光角を変更することができる配光制御機能等を有していてもよい。
【００２３】
照明制御部１２は、照明部１１を制御する。具体的には、照明制御部１２は、照明部１１の光源の発光状態を制御する。本実施の形態において、照明制御部１２は、受信部１３で受信した制御コマンド信号にしたがって、照明部１１（光源）が照射する照明光の照明条件を変更する。例えば、照明制御部１２は、照明部１１の照明光について、明るさを変えたり色温度を変えたり点消灯させるタイミングを変えたりする。
【００２４】
照明制御部１２は、例えば、受信部１３からの制御コマンド信号にしたがって照明部１１の光源を所望に駆動させるための駆動回路及び演算処理装置等を備える。駆動回路には、例えば、制御回路及び電源回路等が含まれる。演算処理装置としては、例えば、ＣＰＵ（Ｃｅｎｔｒａｌ  Ｐｒｏｃｅｓｓｉｎｇ  Ｕｎｉｔ）が搭載されたＭＰＵ（Ｍｉｃｒｏ  Ｐｒｏｃｅｓｓｏｒ  Ｕｎｉｔ）等を用いることができる。
【００２５】
受信部１３は、照明部１１の照明光を制御するための制御コマンド信号を制御機器２０から受信する。受信部１３で受信した制御コマンド信号は、照明制御部１２に出力される。
【００２６】
受信部１３で受信する制御コマンド信号は、照明光を制御するための信号である。本実施の形態において、制御コマンド信号は、照明光を制御するためにユーザ情報及び環境情報の少なくとも一方に基づいて生成されている。具体的には、制御コマンド信号は、ユーザ情報及び環境情報の少なくとも一方に基づいて制御機器２０で生成される。制御コマンド信号の詳細については後述する。
【００２７】
入力電源１４は、照明制御部１２の電源である。例えば、差し込みプラグ（不図示）等によって照明器具１００（照明装置１０）が商用の交流電源から電力供給を受けることができる場合、入力電源１４で交流電力を直流電力に変換して、直流電力を入力電力として照明制御部１２に供給してもよいし、交流電力そのものを入力電力として入力電源１４から照明制御部１２に供給してもよい。交流電力を照明制御部１２に供給する場合、照明制御部１２で交流電力から直流電力に変換される。
【００２８】
なお、照明器具１００（照明装置１０）は、制御機器２０から電力供給を受けてもよい。この場合、制御機器２０で直流電力が生成されて、制御機器２０及び照明器具１００を接続する電源線を介して、制御機器２０で生成された直流電力が入力電力として制御機器２０から照明器具１００に供給される。
【００２９】
記憶部１５は、照明部１１の照明光を変化させる複数の照明パターンを予め記憶している。例えば、照明制御部１２は、受信部１３で受信した制御コマンド信号に基づいて、記憶部１５に記憶された複数の照明パターンの中から１つの照明光の制御パターンを選択し、選択した制御パターンで照明光が照射されるように照明部１１を制御する。照明光の制御パターンの具体例については後述する。なお、記憶部１５に記憶される照明パターンは、工場出荷時に予め記憶部１５にプリストアされたものに限るものではなく、受信部１３で受信した制御コマンド信号等の新たに入手した情報に基づいて生成されて追加されたものであってもよいし、その新たに入手した情報に基づいてプリストアされた照明パターンに変更を加えたものであってもよい。
【００３０】
また、記憶部１５は、さらに、その他の情報を記憶してもよいし、照明装置１０が行う演算処理に必要な一連のプログラム等を記憶していてもよい。記憶部１５は、例えば、ＳＲＡＭ又はＤＲＡＭ等の揮発性の記憶装置からなる主記憶装置、あるいは、磁気ディスク、光ディスク、光磁気ディスク又は半導体メモリ等の不揮発性の記憶装置からなる補助記憶装置によって構成される。
【００３１】
［制御機器］
制御機器２０は、照明器具１００を制御する装置であり、制御部２１と、送信部２２とを備える。具体的には、制御機器２０は、照明器具１００に内蔵された照明装置１０を制御する。
【００３２】
制御部２１は、例えばＳＯＣ（Ｓｙｓｔｅｍ  ｏｎ  ａ  ｃｈｉｐ）によって構成されており、各種制御処理を行う。また、制御部２１は、人工知能（ＡＩ）を内蔵している。
【００３３】
本実施の形態において、制御部２１は、照明器具１００（照明装置１０）が照射する照明光を制御するための制御コマンド信号を生成する。具体的には、制御部２１は、ユーザ情報及び環境情報の少なくとも一方に基づいて、ＡＩにより自動で所望の制御コマンド信号を生成する。なお、制御機器２０は、制御コマンド信号を生成する前に、ユーザ情報及び環境情報を予め取得している。
【００３４】
ユーザ情報は、ユーザに関するデータであり、例えば、照明器具１００を利用するユーザの身体特徴データ、ユーザのライフスタイルデータ、ユーザの活動量データ、及び、ユーザのバイタルデータ等である。
【００３５】
ユーザの身体特徴データは、例えば、ユーザの年齢、性別、身長及び体重等である。また、ユーザのライフスタイルデータは、ユーザの起床時刻又は就寝時刻等のユーザのライフスタイルに関する情報である。ユーザの身体特徴データ及びライフスタイルデータは、ユーザが予め制御機器２０又は照明器具１００に入力しておくことで制御機器２０が予め取得することができる。また、ユーザがスマートフォン等の携帯端末に入力しておいた身体特徴データを制御機器２０に転送することで、制御機器２０が身体特徴データ及びライフスタイルデータを取得してもよい。
【００３６】
ユーザの活動量データは、例えば、ユーザが起床している場合には、ユーザの動きの大きさの度合い（活動量）を示すデータであり、例えば活動の強度及び活動時間の積算値で表される。ユーザの活動量データは、例えば活動量計等のセンサによってカロリーで計測することができる。また、ユーザの活動量データは、歩数計で計測した歩数であってもよい。これらの活動量データを計測するセンサは、ユーザが身に着けるウェアラブル端末が有していてもよいし、ユーザが所持するスマートフォン等の携帯端末が有していてもよい。これらのセンサで計測した活動量データは、制御機器２０に転送される。
【００３７】
また、ユーザが就寝している場合（睡眠時）のユーザの活動量データは、ユーザの体動データである。ユーザの体動データは、例えばドップラーセンサ等の体動センサで計測することができる。体動センサは、例えばユーザが利用するベッドに設置される。体動センサで計測した活動量データは、制御機器２０に転送される。
【００３８】
ユーザのバイタルデータは、脈拍（心拍数）、体温、血圧及び脳波等である。バイタルデータは、各種センサで計測することができる。例えば、脈拍は脈拍センサ、体温は体温計、血圧は血圧計、脳波は脳波計でそれぞれ計測することができる。これらのバイタルデータを計測するセンサは、ユーザが身に着けるウェアラブル端末又はユーザが計測する際の計測器が有していてもよいし、ユーザが保持するスマートフォン等の携帯端末が有していてもよい。これらのセンサで計測したバイタルデータは、制御機器２０に転送される。
【００３９】
環境情報は、例えば、照明器具１００の周辺の環境データであり、例えば、気象データ、空気質データ及び明るさデータ等である。なお、環境情報は、外出時にユーザが晒された環境の環境データであってもよい。環境データは、各種環境センサによって計測することができる。
【００４０】
気象データは、気温、湿度、気圧等であり、それぞれ気温計、湿度計、気圧計等のセンサで計測することができる。空気質データは、大気中に浮遊する、ホコリ、花粉、煙、ＰＭ２．５等の粒子、又は、二酸化炭素等のガス濃度等であり、それぞれ粒子検出センサ及びガス濃度センサで計測することができる。明るさデータは、照度センサによって計測することができる。
【００４１】
このように、ユーザ情報及び環境情報は、センサ情報として各種センサにより取得したり、予め制御機器２０等に入力することで取得したりすることができる。センサ情報としてユーザ情報及び環境情報を取得する場合、センサ情報を取得するためのセンサは、制御機器２０の前段機器であるセンサ機器として、上記のようにウェアラブル端末又はスマートフォン等の携帯端末等の各種機器が有していてもよいし、制御機器２０そのものが有していてもよい。前段機器がセンサを有している場合、上記のように、前段機器で取得されたセンサ情報が制御機器２０に送信されることで制御機器２０がセンサ情報を自動で取得することができる。つまり、この場合、制御機器２０は、センサを有する前段機器から送信されるセンサ情報を受信し、このセンサ情報に基づいて、制御部２１のＡＩにより、ユーザに適した照明光や環境に適した照明光を自動で演算し、ユーザに適した照明光や環境に適した照明光を照明部１１から照射させるための制御コマンド信号を生成する。
【００４２】
なお、上記各種のユーザ情報及び環境情報の取得方法は、上記の取得方法に限るものではない。例えば、ユーザ情報及び環境情報は、ユーザが取得することを意識することなく、全て自動で行われていてもよい。
【００４３】
制御機器２０で制御コマンド信号を生成する際、本実施の形態では、センサによって取得したユーザ情報及び環境情報に基づいて、制御部２１のＡＩにより、ユーザがどのような照明モードの照明光で照射されるかを望んでいるかを自動で決定し、決定した照明モードに対応する制御コマンド信号を選択する。照明モード及び照明モードに対応する制御コマンド信号の具体例については、後述する。
【００４４】
なお、制御機器２０は、センサによってユーザ情報及び環境情報を取得するのではなく、クラウドサーバからユーザ情報及び環境情報を自動で取得してもよい。この場合、ユーザが保有するウェアラブル端末又はスマートフォン等の携帯端末で取得したユーザ情報をクラウドサーバに送信したり、環境センサで取得した環境情報をクラウドサーバに送信したりすることで、ユーザ情報及び環境情報がクラウドサーバに蓄積される。そして、制御機器２０は、クラウドサーバに蓄積されたユーザ情報及び環境情報に基づいて、制御部２１のＡＩによりユーザに適した照明光や環境に適した照明光を自動で演算して、所望の制御コマンドを生成する。
【００４５】
送信部２２は、制御部２１で生成した制御コマンド信号を照明器具１００（照明装置１０）に送信する。具体的に、送信部２２は、制御コマンド信号を照明装置１０の受信部１３に送信する。送信部２２から受信部１３への送信は、有線及び無線のいずれであってもよい。
【００４６】
なお、制御機器２０は、制御部２１及び送信部２２以外に、電源部（電源回路）等を有していてもよい。電源部には、例えば差し込みプラグにより商用の交流電力が供給される。
【００４７】
［制御コマンド信号］
ここで、制御機器２０が照明器具１００（照明装置１０）に送信する制御コマンド信号について、図３を用いて説明する。図３は、実施の形態１に係る照明システム１で用いられる制御コマンド信号の一例を示す図である。
【００４８】
制御コマンド信号は、照明光の明るさ、照明光の色温度及び照明光の制御時間のうちの少なくとも１つを要素として含む１つ又は複数のパラメータからなる。つまり、制御コマンド信号を構成するパラメータには、照明部１１が照射する照明光について、明るさ、色温度及び制御時間のうちの少なくとも１つが要素として含まれる。
【００４９】
具体的には、本実施の形態では、図３に示すように、６つの制御コマンド信号が用いられており、各制御コマンド信号は、１つ又は複数のパラメータからなる。
【００５０】
「点灯信号」を示す制御コマンド信号Ａ１は、照明部１１の点灯を開始させるための信号である。制御コマンド信号Ａ１は、照明部１１の照明光の明るさを示す第１パラメータ、照明部１１の照明光の色温度を示す第２パラメータ、及び、照明部１１の照明光の制御時間を示す第３パラメータからなる。一例として、制御コマンド信号Ａ１において、第１パラメータ（明るさ）、第２パラメータ（色温度）及び第３パラメータ（制御時間）は、それぞれ、５〜１００［％］、２０００〜６５００［Ｋ］及び０〜２００×０．１［ｓ］のレンジを有するが、これに限らない。
【００５１】
「Ｕｐ／ｄｏｗｎ信号」を示す制御コマンド信号Ａ２は、照明部１１の照明光の明るさ及び色温度の少なくとも一方を変化させるための信号である。制御コマンド信号Ａ２は、制御コマンド信号Ａ１と同様に、照明部１１の照明光の明るさを示す第１パラメータ、照明部１１の照明光の色温度を示す第２パラメータ、及び、照明部１１の照明光の制御時間を示す第３パラメータからなる。一例として、制御コマンド信号Ａ２において、第１パラメータ（明るさ）、第２パラメータ（色温度）及び第３パラメータ（制御時間）は、それぞれ、５〜１００［％］、２０００〜６５００［Ｋ］及び０〜１２０×０．５［ｓ］のレンジを有するが、これに限らない。
【００５２】
「消灯信号」を示す制御コマンド信号Ａ３は、照明部１１の点灯を終了させるための信号である。制御コマンド信号Ａ３は、照明部１１の照明光を消灯させるまでの制御時間を示す第１パラメータのみからなる。一例として、制御コマンド信号Ａ３において、第１パラメータ（制御時間）は、０〜２００×０．１［ｓ］のレンジを有するが、これに限らない。
【００５３】
「光目覚まし信号」を示す制御コマンド信号Ｂ１は、照明部１１の照明光を光目覚ましモードで点灯させるための信号である。光目覚ましモードは、照明部１１の照明光の明るさを漸次増加させることで就寝しているユーザの目覚ましを行うときのモードである。制御コマンド信号Ｂ１は、照明部１１の照明光の制御時間を示す第１パラメータ及び照明部１１の照明光の明るさを示す第２パラメータからなる。一例として、制御コマンド信号Ｂ１において、第１パラメータ（制御時間）及び第２パラメータ（明るさ）は、それぞれ、１０〜３０×１［ｍｉｎ］及び５〜１００［％］のレンジを有するが、これに限らない。
【００５４】
「光アラート信号」を示す制御コマンド信号Ｃ１は、照明部１１の照明光を光アラートモードで点灯させるための信号である。光アラートモードは、照明部１１の照明光の明るさを変化させることでユーザに所定の制御対象機器が動作を開始することを通知するときのモードである。制御コマンド信号Ｃ１は、光アラートモードによる照明部１１の照明光を行うインターバルを示す第１パラメータ及び光アラートモードによる照明部１１の照明光を行う回数を示す第２パラメータからなる。一例として、制御コマンド信号Ｃ１において、第１パラメータ（インターバル）及び第２パラメータ（回数）は、それぞれ、１０〜３０×１［ｍｉｎ］及び１〜５［回］のレンジを有するが、これに限らない。
【００５５】
なお、制御コマンド信号Ｃ１では、１つの第１パラメータ（インターバル）に、照明部１１の照明光の明るさ、照明部１１の照明光の色温度及び照明部１１の照明光の制御時間の要素が全て含まれている。
【００５６】
「ゆらぎ信号」を示す制御コマンド信号Ｄ１は、照明部１１の照明光をゆらぎモードで点灯させるための信号である。ゆらぎモードは、照明部１１の照明光の明るさを強めるモードと照明部１１の照明光の明るさを弱めるモードとを繰り返すときのモードである。制御コマンド信号Ｄ１は、照明部１１の照明光の制御時間を示す第１パラメータ、照明部１１の照明光の明るさを示す第２パラメータ、及び、照明部１１の照明光の色温度を示す第３パラメータからなる。一例として、制御コマンド信号Ｄ１において、第１パラメータ（制御時間）、第２パラメータ（明るさ）及び第３パラメータ（色温度）は、それぞれ、０〜１０×［ｍｉｎ］、及び、０〜５０［％］、２０００〜６５００［Ｋ］のレンジを有するが、これに限らない。
【００５７】
本実施の形態において、６つの制御コマンド信号のうち複数のパラメータを含む制御コマンド信号では、全てのパラメータが一度の制御コマンド信号に含まれている。具体的には、制御コマンド信号Ａ１、制御コマンド信号Ａ２及び制御コマンド信号Ｄ１では、第１パラメータ、第２パラメータ及び第３パラメータが一度の制御コマンド信号に含まれている。また、制御コマンド信号Ｂ１及び制御コマンド信号Ｃ１では、第１パラメータ及び第２パラメータが一度の制御コマンド信号に含まれている。
【００５８】
なお、各制御コマンド信号において、第１パラメータ、第２パラメータ及び第３パラメータは、この順に優先度の高いパラメータとして、照明制御部１２によって処理されてもよい。
【００５９】
［照明装置の状態遷移］
次に、本実施の形態における照明器具１００（照明装置１０）の状態遷移について、図４を用いて説明する。図４は、実施の形態１に係る照明器具１００の状態遷移を示す図である。
【００６０】
照明器具１００（照明装置１０）は、制御機器２０から制御コマンド信号が送信されると照明モードが遷移する。つまり、受信部１３が制御コマンド信号を受信すると、照明モードが遷移する。
【００６１】
図４に示すように、照明器具１００（照明装置１０）は、照明モードとして、消灯モードと、調光モードと、ゆらぎモードと、光目覚ましモード（ＡＳＳＡモード）と、光アラートモードとを有する。
【００６２】
各照明モードでは、受信部１３で受信した制御コマンド信号を照明制御部１２で処理することで照明部１１の発光状態が制御される。この場合、例えば、照明制御部１２は、照明部１１から照射している照明光の明るさ又は色温度の現在の第１設定値（現在値）を各制御コマンド信号における明るさ又は色温度の目標の第２設定値（目標値）に変更する。この際、照明制御部１２は、照明部１１の照明光の明るさ又は色温度の値を変化させながら第１設定値から第２設定値に変更する。つまり、照明光の目標値への軌跡が時間的に可変するものであってもよい。
【００６３】
このとき、第１設定値から第２設定値に照明光を変化させる制御パターンは複数であるとよい。つまり、目標値への軌跡は、複数の制御パターンによって構成されていてもよい。複数の制御パターンは、例えば、照明装置１０の記憶部１５に記憶されている。この場合、照明制御部１２は、各制御コマンド信号に応じて記憶部１５に記憶された複数の制御パターンの中から１つを選択し、選択した制御パターンにより第１設定値から第２設定値に変更する。
【００６４】
以下、各照明モードにおける照明部１１の照明光の制御パターンの具体例について説明する。
【００６５】
受信部１３で「消灯信号」を示す制御コマンド信号Ａ３を受信すると、照明制御部１２は、消灯モードで照明部１１の照明光を制御する。消灯モードは、照明部１１（光源）を消灯させるモードである。消灯モードでは、ＰＷＭ信号等の調光信号が０となり、照明部１１（光源）が消灯する。
【００６６】
また、受信部１３で「Ｕｐ／ｄｏｗｎ信号」を示す制御コマンド信号Ａ２を受信すると、照明制御部１２は、調光モードで照明部１１の照明光を制御する。調光モードは、照明部１１（光源）の照明光の明るさ及び照明部１１（光源）の照明光の色温度の少なくとも一方を変化させる調光調色モードである。本実施の形態では、調光することで調色を行っている。調光モードでは、制御コマンド信号に基づいて調光制御を開始する。
【００６７】
調光モードでの照明光の制御パターンは、例えば、図５に示すように、照明部１１の照明光の明るさを直線的に低下させる調光制御を行うためのパターンであってもよいし、図６に示すように、照明部１１の照明光の明るさを二次関数的に低下させる調光制御を行うためのパターンであってもよい。図５及び図６では、例えば、第１設定値が調光率１００％で、第２設定値が調光率５０％である。なお、調光モードでの制御パターンは、照明部１１の照明光の明るさを増加させる調光制御を行うためのパターンであってもよい。
【００６８】
また、受信部１３で「光目覚まし信号」を示す制御コマンド信号Ｂ１を受信すると、照明制御部１２は、光目覚ましモードで照明部１１の照明光を制御する。光目覚ましモードは、照明部１１（光源）の照明光の明るさを漸次増加させるモードである。光目覚ましモードでは、制御コマンド信号に基づいて、調光の目標ステップを演算する。なお、光目覚ましモードにおいて、色温度は、一定であり、例えば２０００Ｋであるが、これに限らない。
【００６９】
光目覚ましモードでの照明光の制御パターンは、例えば、図７に示すように、照明部１１の照明光の明るさを漸次増加させる光目覚まし制御を行うためのパターンである。また、図７に示すように、光目覚まし制御の後半（例えば図７のｔ１）において、照明部１１の照明光の明るさを急変させるためのブースト制御を行ってもよい。この場合、ブースト制御は、照明光の明るさ及び照明光の色温度の少なくとも一方を変化させる調光制御により行うことができる。このように、制御コマンド信号Ｂ１ではパラメータの中に時間的要素が含まれているので、１つの制御コマンド信号Ｂ１でブースト制御を行う調光制御までを行うことも可能である。なお、光目覚ましモードでの制御パターンは、図７に示すパターンに限らない。
【００７０】
また、受信部１３で「光アラート信号」を示す制御コマンド信号Ｃ１を受信すると、照明制御部１２は、光アラー度モードで照明部１１の照明光を制御する。光アラートモードは、照明部１１（光源）の照明光の明るさを変化させることでユーザに所定の制御対象機器の動作が開始することを通知するモードである。光アラートモードでは、初期の発光状態を保存するとともに、制御コマンド信号に基づいて変更するタイミングを決定し、調光制御を行う。光アラートモードでの照明光の制御が終了すると、保存した初期の発光状態に戻す。
【００７１】
光アラートモードでの照明光の制御パターンは、照明部１１の照明光の明るさを変化させることでユーザに所定の制御対象機器が動作を開始することを通知する光アラート制御を行うためのパターンである。なお、光アラートモードでの照明光の制御パターンの具体例は、実施の形態２で詳細に説明する。
【００７２】
また、受信部１３で「ゆらぎ信号」を示す制御コマンド信号Ｄ１を受信すると、照明制御部１２は、ゆらぎモードで照明部１１の照明光を制御する。ゆらぎモードは、照明部１１（光源）の照明光の明るさを強める状態と照明部１１（光源）の照明光の明るさを弱める状態とを繰り返すモードである。ゆらぎモードでは、制御コマンド信号に基づいてプログラムステップを演算し、調光制御を行う。
【００７３】
ゆらぎモードでの照明光の制御パターンは、例えば、図８に示すように、照明部１１の照明光の明るさを強めるモードと照明部１１の照明光の明るさを弱めるモードとを繰り返すゆらぎ制御を行うためのパターンである。なお、ゆらぎモードでの制御パターンは、図８に示すパターンに限らない。
【００７４】
このような複数の照明モードを有する照明器具１００は、次のようにして照明モード（発光状態）が遷移する。
【００７５】
照明器具１００（照明装置１０）の電源がオンになると、リセット状態から消灯モードに遷移する。
【００７６】
消灯モードのときに受信部１３が制御コマンド信号Ａ１、Ｂ１又はＣ１を受信すると、照明器具１００の照明モードは、消灯モードから、調光モード、光目覚ましモード又は光アラートモードに遷移する。
【００７７】
調光モードのときに受信部１３が制御コマンド信号Ｂ１、Ｃ１、Ｄ１、Ａ３を受信すると、照明器具１００の照明モードは、調光モードから、光目覚ましモード、光アラートモード、ゆらぎモード又は消灯モードに遷移する。
【００７８】
光目覚ましモードのときに受信部１３が制御コマンド信号Ａ２又はＡ３を受信すると、照明器具１００の照明モードは、光目覚ましモードから、調光モード又は消灯モードに遷移する。
【００７９】
光アラートモードのときに受信部１３が制御コマンド信号Ａ２又はＡ３を受信すると、照明器具１００の照明モードは、光目覚ましモードから、調光モード又は消灯モードに遷移する。
【００８０】
このように、照明器具１００では、光目覚ましモード、光アラートモード及びゆらぎモードは、調光モードを中心（起点）にして状態遷移が行われている。具体的に、光目覚ましモード、光アラートモード及びゆらぎモードは、調光モード及び消灯モードのいずれか一方のみに遷移している。
【００８１】
なお、各照明モードでは、次の制御コマンド信号を待っている状態になっており、受信部１３が制御コマンド信号を受信すると、最新の制御コマンド信号による照明モードで照明部１１の発光状態が制御される。
【００８２】
［まとめ］
以上、本実施の形態に係る照明装置１０によれば、照明光を照射する光源を有する照明部１１と、照明部１１を制御する照明制御部１２と、照明光を制御するためにユーザ情報及び環境情報の少なくとも一方に基づいて生成された制御コマンド信号を制御機器２０（他機器）から受信する受信部１３とを備えている。そして、受信部１３が受信する制御コマンド信号は、照明光の明るさ、照明光の色温度及び照明光の制御時間のうちの少なくとも１つを要素として含む１つ又は複数のパラメータからなる。
【００８３】
これにより、初期設定を除けば、ユーザが照明装置１０を操作しなくても、ユーザや環境に適した照明光を照明装置１０から自動で照射させることができる。つまり、リモコンによってユーザが照明装置１０を操作して照明部１１からの照明光を変更することなく、制御機器２０からの制御コマンド信号を受信するだけで、照明部１１の照明光を自動で制御することができる。
【００８４】
また、本実施の形態に係る照明装置１０において、受信部１３は、センサ情報としてセンサにより取得されたユーザ情報及び環境情報の少なくとも一方に基づいて制御機器２０が生成した制御コマンド信号を受信している。この場合、制御機器２０は、センサを有する機器から送信されるセンサ情報をユーザ情報及び環境情報として受信するとよい。
【００８５】
このように、センサによりユーザ情報及び環境情報を取得することで、取得したユーザ情報及び環境情報の少なくとも一方に基づいて制御機器２０が自動で制御コマンド信号を生成することができる。つまり、ユーザが操作しなくてもユーザ情報及び環境情報を自動で取得して制御コマンド信号を生成することができる。したがって、ユーザの操作を必要とすることなく、ユーザや環境に適した照明光を照明部１１から容易に照射させることができる。
【００８６】
また、センサによってユーザ情報及び環境情報を取得するのではなく、クラウドサーバからユーザ情報及び環境情報を取得してもよい。この場合、受信部１３は、クラウドサーバに蓄積されたユーザ情報及び環境情報に基づいて制御機器２０が生成した制御コマンドを受信する。
【００８７】
このように、クラウドサーバからユーザ情報及び環境情報を取得することでも、ユーザの操作を必要とすることなく、ユーザや環境に適した照明光を容易に照射させることができる。
【００８８】
また、本実施の形態に係る照明装置１０では、制御コマンド信号を構成する複数のパラメータが、照明光の明るさを示す第１パラメータ、照明光の色温度を示す第２パラメータ、及び、照明光の制御時間を示す第３パラメータである。
【００８９】
このように、照明光についての明るさ、色温度及び制御時間を示すパラメータを用いることによって、照明部１１から所望の照明光を簡単に照射させることができる。
【００９０】
この場合、例えば、「点灯信号」を示す制御コマンド信号Ａ１、「Ｕｐ／ｄｏｗｎ信号」を示す制御コマンド信号Ａ２、及び、「ゆらぎ信号」を示す制御コマンド信号Ｄ１のように、第１パラメータ、第２パラメータ及び第３パラメータが一度の制御コマンド信号に含まれていてもよい。
【００９１】
あるいは、「光アラート信号」を示す制御コマンド信号Ｃ１における第１パラメータのように、１つのパラメータの中に、照明光についての明るさ、色温度及び制御時間の要素の全てが含まれていてもよい。
【００９２】
また、図４に示すように、本実施の形態に係る照明装置１０では、照明モードとして、消灯モード、調光モード、光目覚ましモード、光アラートモード及びゆらぎモードが設定されている。
【００９３】
これにより、照明装置１０によって、図９に示すような睡眠サポート（入眠、起床等）を行うことができる。
【００９４】
例えば、就寝前の寝室滞在時では、調光モードで照明部１１を制御し、リラックスするような低色温度の照明光で照明装置１０が点灯するように制御したり、覚醒リズムを改善させるような照明光で照明装置１０が点灯するように制御したりする。
【００９５】
入眠潜時では、心地よい眠りを誘うためにゆらぎモードで照明部１１を制御し、ユーザが快適に入眠できる照明光を照明装置１０に照射させる。
【００９６】
睡眠時では、照明装置１０を消灯モードにして、照明部１１を消灯させる。このとき、例えば、センサによってユーザの体動を検知し、ユーザが入眠したと判断した場合に、自動で消灯モードにする。
【００９７】
覚醒前では、浅い眠りに誘うために光目覚ましモードで照明部１１を制御し、例えば、照明部１１の照明光を低色温度から高色温度に変化させるとともに明るさを徐々に明るくする。
【００９８】
そして、覚醒後は、不快感なく快適に起床させるために、点灯モード又は調光モードで照明部１１を制御し、覚醒を向上させるような高色温度の照明光を照明装置１０に照射させる。
【００９９】
（実施の形態２）
次に、実施の本実施の形態２に係る照明システムについて説明する。図１０は、実施の形態２に係る照明システムの構成を示すブロック図である。
【０１００】
本実施の形態における照明システムは、上記実施の形態１における照明システム１と同様に、照明装置１０を有する照明器具１００と、照明器具１００（照明装置１０）を制御する制御機器２０Ａとを有する。
【０１０１】
照明装置１０は、実施の形態１と同様に、照明部１１と、照明制御部１２と、受信部１３と、入力電源１４と、記憶部１５とを備える。
【０１０２】
制御機器２０Ａは、実施の形態１と同様に、制御部２１と送信部２２とを備える。本実施の形態における制御機器２０Ａは、さらに、スピーカ２３を備える。スピーカ２３は、音楽等の音情報を制御機器２０Ａの周辺に報知する。
【０１０３】
本実施の形態において、照明装置１０及び制御機器２０Ａの各構成は、実施の形態１と同様の機能を有する。
【０１０４】
したがって、本実施の形態における照明器具１００（照明装置１０）でも、受信部１３によって制御機器２０Ａから送信される制御コマンド信号が受信されると、照明制御部１２は、制御コマンド信号にしたがって照明部１１の照明光を制御する。
【０１０５】
また、本実施の形態でも、照明器具１００（照明装置１０）は、照明モードとして、消灯制御による消灯モードと、調光制御による調光モードと、ゆらぎ制御によるゆらぎモードと、光目覚まし制御による光目覚ましモードと、光アラート制御による光アラートモードとを有しており、制御コマンド信号に応じて、所定の照明モードに遷移する。
【０１０６】
本実施の形態では、特に、光アラートモードにおける光アラート制御が特徴である。以下、本実施の形態における光アラート制御の具体例について、図１０を参照しながら、図１１を用いて詳細に説明する。図１１は、実施の形態２に係る照明装置１０及び制御機器２０Ａにおける制御の一例を示す図である。
【０１０７】
図１１に示すように、本実施の形態における照明器具１００（照明装置１０）では、受信部１３が制御機器２０Ａから制御コマンド信号を受信したときに、照明制御部１２は、光アラート制御として、照明装置１０とは異なる制御対象機器の動作開始時（制御開始時）よりも先に照明部１１の制御を行うことで照明部１１から照射される照明光の明るさを変化させている。
【０１０８】
本実施の形態において、制御対象機器は、制御機器２０である。つまり、照明装置１０の受信部１３が制御機器２０から制御コマンド信号を受信すると、制御機器２０Ａの動作が開始する（例えば音楽が再生する）よりも先に、照明部１１の照明光の明るさを変化させている。
【０１０９】
具体的には、まず、制御機器２０Ａでは、ユーザ情報及び環境情報の少なくとも一方に基づいて制御部２１によって制御コマンド信号が生成される。生成された制御コマンド信号は、送信部２２から照明器具１００（照明装置１０）に送信される。
【０１１０】
照明装置１０が制御機器２０Ａからの制御コマンド信号を受信すると、照明制御部１２は、制御機器２０Ａの動作開始時よりも先に、照明部１１の照明光の明るさを変化させる。例えば、制御機器２０Ａから「点灯信号」を示す制御コマンド信号Ａ１を受信部１３が受信すると、制御機器２０Ａの動作が開始する前に照明部１１が点灯する。
【０１１１】
照明部１１の照明光の明るさが変化した後、制御機器２０Ａの動作が開始する。具体的には、制御機器２０Ａが制御コマンド信号を送信してから一定の期間Ｔが経過した後に、制御機器２０Ａの動作が開始する。例えば、音楽の再生が開始してスピーカ２３から音楽が報知される。
【０１１２】
一定の期間Ｔは、制御機器２０Ａの動作を禁止する期間である。なお、本実施の形態において、一定の期間Ｔ（動作禁止期間）は、制御機器２０Ａにおいて予め設定されており、制御コマンド信号に含まれていてもよい。つまり、一定の期間Ｔは、制御機器２０Ａが決めている。
【０１１３】
このように、本実施の形態では、制御機器２０Ａが制御コマンド信号を送信してから照明部１１の照明光の明るさが変化するまでの間（一定の期間Ｔ）においては、制御機器２０Ａの動作が開始しないようになっており、制御機器２０Ａの動作が開始する前に照明部１１の照明光の明るさが変化する。つまり、照明部１１の照明光の明るさを変化させることでユーザに制御機器２０Ａの動作が開始することを通知している。
【０１１４】
これにより、ユーザは、制御機器２０Ａの動作が開始することを事前に予期することができ、制御機器２０Ａの動作が開始することの心の準備をすることができる。例えば、ユーザは、これから音楽が再生されるであろうことを予期することができる。したがって、いきなり制御機器２０Ａが動作することのユーザの心理的負担を軽減することができ、少ない刺激でユーザに制御機器２０Ａの動作が開始することを促せることができる。
【０１１５】
また、光アラート制御による照明光のパターンは、図１１に示されるパターンに限らず、図１２に示されるパターンであってもよい。
【０１１６】
図１２では、受信部１３が制御コマンド信号を受信すると、照明制御部１２は、光アラート制御として、照明部１１の照明光の明るさが明るくなる第１モードと、第１モードよりも照明光の明るさが暗くなる第２モードとを順に経て、当該制御コマンド信号を受信する前の状態に戻るように照明部１１の制御を行っている。
【０１１７】
具体的には、第１モードでは、制御コマンド信号を受信したときの明るさをスタートとして徐々に明るくなって元の明るさに戻るようにカーブ波形で照明光が変化し、第２モードでは、第１モードに続いて、制御コマンド信号を受信したときの明るさをスタートとして徐々に暗くなって元の明るさに戻るようにカーブ波形で照明光が変化している。
【０１１８】
このように、制御コマンド信号を受信したときの明るさに対して明るくする第１モードと暗くする第２モードとを繰り返すことで、ユーザは照明光の明暗差を感じやすくなる。これにより、ユーザは、照明部１１の照明光の明るさが変化したことに気付きやすくなる。また、図１２に示すように、照明光をカーブ波形で変化させることによって、心地よい刺激でユーザに制御機器２０Ａの動作が開始することを促せることができる。さらに、第１モードの後に第２モードにして先に明るくしているので、先に暗くする場合（第２モード→第１モード）よりも、照明光の明るさが変化したことに一層気付きやすくなる。
【０１１９】
しかも、制御コマンド信号を受信したときの明るさを基準に明るくする第１モードと暗くする第２モードとを繰り返すことで、同じ明暗差を付けるにしても、制御コマンド信号を受信したときの明るさを基準に明るくすることのみ（又は暗くすることのみ）と比べて、ユーザにとってやさしい刺激で照明光の明るさが変化したことに気付かせることができる。
【０１２０】
また、第１モード及び第２モードの繰り返しで光アラート制御を行う場合、照明制御部１２は、第１モードのときの照明光の色温度が第２モードのときの照明光の色温度よりも高くなるように照明部１１の制御を行うとよい。
【０１２１】
これにより、ユーザに対してより低刺激で照明光の明るさが変化したことをさらに気付きやすくさせることができる。
【０１２２】
この場合、照明制御部１２は、さらに、照明光の色温度が連続的に変化するように照明部１１の制御を行うとよい。
【０１２３】
これにより、ユーザに対して一層低刺激で照明光の明るさが変化したことに気付かせやすくできる。
【０１２４】
また、図１３に示すように、照明制御部１２は、第１モードと第２モードとが複数回繰り返すように照明部１１の制御を行ってもよい。
【０１２５】
これにより、第１モードと第２モードとを１回のみ繰り返す場合と比べて、照明光の明るさが変化したことをユーザに気付かせやすくできる。
【０１２６】
また、動作の開始を遅らせる制御対象機器が複数存在する場合、第１モードと第２モードとの繰り返し回数に応じて、動作が開始する制御対象機器が予期できるようにしてもよい。例えば、第１モードと第２モードとの繰り返し回数が１回の場合は、制御機器２０Ａの動作が開始することに対応させ、第１モードと第２モードとの繰り返し回数が２回の場合は制御機器２０Ａ以外の制御対象機器の動作が開始することに対応させることができる。
【０１２７】
なお、本実施の形態において、受信部１３で受信する制御コマンド信号としては、実施の形態１と同様の制御コマンド信号を用いたが、これに限らない。つまり、制御コマンド信号としては、照明部１１の照明光の明るさ、照明部１１の照明光の色温度及び照明部１１の照明光の制御時間のうちの少なくとも１つを要素として含む１つ又は複数のパラメータからなるものに限らない。つまり、本実施の形態では、実施の形態１における制御コマンド信号以外の制御コマンド信号を用いて、光アラート制御を行ってもよい。
【０１２８】
（実施の形態２の変形例１）
図１４は、実施の形態２の変形例１に係る照明システムの構成を示すブロック図である。
【０１２９】
図１４に示すように、本変形例における照明システムでは、図１０に示される構成に対して、照明器具１００Ａ（照明装置１０Ａ）がさらに明るさセンサ１６を有している。明るさセンサ１６は、例えば照度センサである。
【０１３０】
本変形例でも、制御機器２０Ａが制御コマンド信号を送信してから照明部１１の照明光の明るさが変化するまでの間（一定の期間Ｔ）においては、制御機器２０Ａの動作が開始しないようになっており、制御機器２０Ａの動作が開始する前に照明部１１の照明光の明るさが変化する。
【０１３１】
これにより、ユーザは、制御機器２０Ａの動作が開始することを事前に予期することができ、制御機器２０Ａの動作が開始することの心の準備をすることができる。したがって、少ない刺激でユーザに制御機器２０Ａの動作が開始することを促せることができる。
【０１３２】
しかも、本変形例では、図１５に示すように、照明制御部１２は、光アラート制御として、明るさセンサ１６が検知する明るさ（照度）に応じて、照明光の明るさが変わるように照明部１１の制御を行っている。
【０１３３】
具体的には、明るさセンサ１６によって照明装置１０Ａの周辺の照度を検知して、その検知した照度に応じて照明光の明るさが明るくなる第１モードのピーク値と照明光の明るさが暗くなる第２モードのピーク値とを変更している。なお、図１５では、本変形例における光アラート制御の３つの制御パターンが示されており、各制御パターンは、第１モード及び第２モードのピーク値が異なっている。
【０１３４】
このように、明るさセンサ１６が検知する照度に応じて照明光の明るさを変えることによって、ユーザの目の順応に沿った明るさで制御することができる。したがって、本変形例では、ユーザに対してより低刺激で照明光の明るさが変化したことに気付かせることができる。
【０１３５】
（実施の形態２の変形例２）
図１６は、実施の形態２の変形例２に係る照明システムの構成を示すブロック図である。
【０１３６】
図１６に示すように、本変形例における照明システムでは、図１０に示される構成に対して、照明器具１００Ｂ（照明装置１０Ｂ）がさらに送信部１７を有している。具体的には、照明装置１０Ｂは、受信部１３及び送信部１７を含む通信部１８を有する。
【０１３７】
また、本変形例では、図１０に示される構成に対して、制御機器２０Ｂがさらに受信部２４を有している。具体的には、制御機器２０Ｂは、送信部２２及び受信部２４を含む通信部２５を有する。
【０１３８】
本変形例では、上記実施の形態２と同様に、照明装置１０Ｂの受信部１３が制御機器２０Ｂから制御コマンド信号を受信すると、制御機器２０Ｂの動作が開始するよりも先に、照明部１１の照明光の明るさを変化させている。
【０１３９】
このとき、本変形例では、照明装置１０Ｂの通信部１８と制御機器２０Ｂの通信部２５とが通信を行っており、照明装置１０Ｂは、制御機器２０Ｂの動作の停止と制御機器２０Ｂの動作の開始とを制御する機器制御信号を制御機器２０Ｂに出力している。
【０１４０】
具体的には、図１７に示すように、イベント通知信号として照明装置１０Ｂの受信部１３が制御機器２０Ｂから制御コマンド信号を受信すると、照明装置１０Ｂ（送信部１７）は、制御機器２０Ｂの動作を停止させるための動作禁止信号を制御機器２０Ｂ（受信部２４）に送信する。
【０１４１】
そして、一定の動作禁止期間Ｔが経過した後に制御機器２０Ｂが動作を開始するように、照明装置（送信部１７）は、制御機器２０Ｂの動作を開始させるための動作許可信号を制御機器２０Ｂ（受信部２４）に送信する。なお、本変形例において、動作許可信号は、動作禁止期間Ｔが経過する直前に送信されているが、これに限らない。
【０１４２】
このように、上記実施の形態２では制御機器２０Ａが動作禁止期間Ｔを決めていたが、本変形例では照明装置１０Ｂが動作禁止期間Ｔを決めている。具体的には、照明装置１０Ｂは、通信部１８を介して制御機器２０Ｂに対して動作禁止信号と動作許可信号との２回の信号を送信している。
【０１４３】
本変形例でも、制御機器２０Ｂが制御コマンド信号を送信してから照明部１１の照明光の明るさが変化するまでの間（動作禁止期間Ｔ）においては、制御機器２０Ｂの動作が開始しないようになっており、制御機器２０Ｂの動作が開始する前に照明部１１の照明光の明るさが変化する。
【０１４４】
これにより、ユーザは、制御機器２０Ｂの動作が開始することを事前に予期することができ、制御機器２０Ｂの動作が開始することの心の準備をすることができる。したがって、少ない刺激でユーザに制御機器２０Ｂの動作が開始することを促せることができる。
【０１４５】
なお、本変形例では、照明装置１０Ｂ（送信部１７）から制御機器２０Ｂ（受信部２４）に動作禁止信号と動作許可信号との２回の信号を送信したが、これに限らない。例えば、照明装置１０Ｂ（送信部１７）は、制御機器２０Ｂの動作を一定期間停止させる機器制御信号を制御機器２０Ｂに送信してもよい。
【０１４６】
（実施の形態２の変形例３）
図１８は、実施の形態２の変形例３に係る照明システムの構成を示すブロック図である。
【０１４７】
図１０に示す上記実施の形態２では、制御機器２０Ａは、制御対象としてスピーカ２３を備えており、照明光の明るさを変化させた後に音楽の報知を開始させたが、これに限らない。
【０１４８】
例えば、図１８に示すように、制御機器２０Ｃは、制御対象として表示部２６を有していてもよい。表示部２６は、例えば、プロジェクタ又はディスプレイ等の映像表示デバイス（映像表示機器）である。
【０１４９】
この場合、照明装置１０の受信部１３が制御機器２０Ｃから制御コマンド信号を受信すると、表示部２６に映像の表示が開始するよりも先に、照明部１１の照明光の明るさが変化する。
【０１５０】
本変形例では、制御機器２０Ｃが制御コマンド信号を送信してから照明部１１の照明光の明るさが変化するまでの間（一定の期間Ｔ）においては、制御機器２０Ｃの動作が開始しないようになっており、制御機器２０Ｃの動作が開始する前に照明部１１の照明光の明るさが変化する。
【０１５１】
これにより、ユーザは、制御機器２０Ｃの動作が開始することを事前に予期することができ、制御機器２０Ｃの動作が開始することの心の準備をすることができる。例えば、ユーザは、これから映像が表示されるであろうことを予期することができる。したがって、いきなり制御機器２０Ｃが動作することのユーザの心理的負担を軽減することができ、少ない刺激でユーザに制御機器２０Ｃの動作が開始することを促せることができる。
【０１５２】
（実施の形態２の変形例４）
図１９は、実施の形態２の変形例４に係る照明システムの構成を示すブロック図である。
【０１５３】
図１０に示す上記実施の形態２では、照明部１１の照明光の明るさを変化させた後に動作が開始する制御対象機器は、制御機器２０Ａであり、制御機器２０Ａがスピーカ２３を備えていたが、これに限らない。つまり、照明部１１の照明光の明るさを変化させた後に動作が開始する制御対象機器は、制御機器２０Ａと別体であってもよい
具体的には、図１９に示すように、照明部１１の照明光の明るさを変化させた後に動作が開始する制御対象機器として、スピーカ機能を有するスピーカ装置３０を用いてもよい。スピーカ装置３０は、例えば音楽を再生できる機能を有するオーディオ機器であり、制御機器２０と別置されている。
【０１５４】
本変形例では、制御機器２０は、照明装置１０に制御コマンド信号を送信する際、スピーカ装置３０に対しても、制御機器２０が制御コマンド信号を送信してから一定の期間Ｔの間はスピーカ装置３０の動作が開始しないような信号を送信する。
【０１５５】
これにより、スピーカ装置３０の動作開始時よりも先に照明部１１の照明光の明るさを変化させることができる。したがって、ユーザは、スピーカ装置３０の動作が開始することを事前に予期することができる。
【０１５６】
なお、本変形例において、スピーカ装置３０は、音楽再生機能を有していたが、これに限らない。例えば、スピーカ装置３０は、スピーカ機能のみを有していてもよい。この場合、再生する音楽は、音楽再生機能を有するオーディオ機器から取得する。
【０１５７】
（その他の変形例）
以上、本発明について実施の形態に基づいて説明したが、本発明は、上記実施の形態に限定されるものではない。
【０１５８】
例えば、上記実施の形態において、照明装置１０は、照明器具に備えられていたが、これに限らず、照明装置１０は、図２０に示される照明システム２のように、スマートフォン等の携帯端末２００に備えられていてもよい。また、図示しないが、照明装置１０は、携帯端末以外のその他の電子機器に備えられていてもよい。
【０１５９】
また、上記実施の形態２において、光アラートモードでの照明光の制御パターンとして、図１１〜図１３に示されるパターンを示したが、光アラートモードの照明光の制御パターンは、これに限らない。例えば、光アラートモードでの照明光の制御パターンは、照明光のＯＮ／ＯＦＦ（フェード動作）であってもよい。例えば、入室時にいきなり音楽が再生したり映像が表示されたりするのではなく、入室して照明光がフェード点灯した後又は暗くなった後に音楽が再生したり映像が表示されたりするような光アラート信号を用いることができる。
【０１６０】
また、上記実施の形態２において、制御機器は、制御対象としてスピーカ（音声出力機能）又は表示部（表示機能）を有していたが、これに限らない。例えば、制御機器は、制御対象として、照明機能又は空調機能等のその他の機能を有していてもよい。
【０１６１】
また、上記実施の形態において、照明器具、スピーカ及び映像表示デバイスは、一体化されたユニットであってもよい。この場合、一体化されたユニットは、制御部２１を有する上記の制御機器であってもよい。
【０１６２】
その他に、上記実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【０１６３】
また、上記の説明において、照明制御部１２及び制御部２１等は、回路であってもよい。これらの回路は、全体として１つの回路を構成してもよいし、それぞれ別々の回路でもよい。また、これらの回路は、それぞれ、汎用的な回路でもよいし、専用の回路でもよい。
【０１６４】
また、照明制御部１２及び制御部２１等の動作として説明した処理は、コンピュータが実行してもよい。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。
【０１６５】
また、上記の各処理を実行するためのプログラムが、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。例えば、上記照明システムにおける方法をコンピュータに実行させるプログラムとして実現したり、そのようなプログラムを記録したコンピュータ読み取り可能な記録媒体として実現したりすることもできる。
【０１６６】
なお、本発明は、コンピュータを上記照明システムとして機能させるためのプログラムとして実現したり、そのプログラムを格納したコンピュータ読み取り可能な記録媒体として実現したりすることもできる。
【符号の説明】
【０１６７】
１  照明システム
１０、１０Ａ、１０Ｂ  照明装置
１１  照明部
１２  照明制御部
１３  受信部
１４  入力電源
１５  記憶部
１６  照度センサ
１７  送信部
１８  通信部
２０、２０Ａ、２０Ｂ、２０Ｃ  制御機器（他機器）
２１  制御部
２２  送信部
２３  スピーカ
２４  受信部
２５  通信部
２６  表示部
３０  スピーカ装置
１００、１００Ａ、１００Ｂ  照明器具
２００  携帯端末
【図１】
2018147606.tif 000003
【図２】
2018147606.tif 000004
【図３】
2018147606.tif 000005
【図４】
2018147606.tif 000006
【図５】
2018147606.tif 000007
【図６】
2018147606.tif 000008
【図７】
2018147606.tif 000009
【図８】
2018147606.tif 000010
【図９】
2018147606.tif 000011
【図１０】
2018147606.tif 000012
【図１１】
2018147606.tif 000013
【図１２】
2018147606.tif 000014
【図１３】
2018147606.tif 000015
【図１４】
2018147606.tif 000016
【図１５】
2018147606.tif 000017
【図１６】
2018147606.tif 000018
【図１７】
2018147606.tif 000019
【図１８】
2018147606.tif 000020
【図１９】
2018147606.tif 000021
【図２０】
2018147606.tif 000022